(57)【特許請求の範囲】
【請求項１】
選択された曲番号に対応するカラオケデータからカラオケ信号を生成してカラオケ装置へ出力するためのカラオケ制御装置であって、
数値入力用のキーと検索ボタンとセットボタンを備えた入力装置と、
アーチスト番号に曲番号を対応付ける第１のテーブルと曲番号にアーチスト番号を対応付ける第２のテーブルとを保持している記憶装置と、
前記入力装置からの数値入力に基づいて、アーチストを一意に指示するアーチスト番号と解される番号又は曲を一意に指示する曲番号と解される番号の何れか一方を所定の表示装置に表示する番号表示制御手段と、
前記検索ボタンの押下が検出されると、前記表示装置にアーチスト番号が表示されているか又は曲番号が表示されているかを識別する種別判別手段と、
前記種別判別手段によりアーチスト番号が表示されていると識別された場合は当該アーチスト番号を検索キーとして用いて当該アーチスト番号に関連付けられている曲番号を前記第１のテーブルから検索する第１の検索処理を実行し、前記種別判別手段により曲番号が表示されていると識別された場合は当該曲番号を検索キーとして用いて当該曲番号に関連付けられている曲番号を前記第２のテーブルから第１のテーブルを経て検索する第２の検索処理を実行する曲番号検索手段と、
前記曲番号検索手段により検索された１又は２以上の曲番号の中の何れか一つを現在の選択候補として所定の表示装置に表示するとともに残りの曲番号を選択可能な曲番号として保持する候補表示制御手段と、
前記セットボタンの押下が検出されると、前記候補表示制御手段により現在の選択候補とされている曲番号を選択する曲番号選択手段と、
を有することを特徴とするカラオケ制御装置。
【請求項２】
請求項１に於いて、
前記入力装置はスクロールキーを更に備えており、
前記候補表示制御手段は、前記曲番号検索手段により検索された１又は２以上の曲番号の中の現在の選択候補の曲番号のみを前記表示装置に表示するとともに前記スクロールキーの操作に応じて現在の選択候補を順にシフトさせる、
ことを特徴とするカラオケ制御装置。
【発明の詳細な説明】
【０００１】
【発明の属する技術分野】
本発明は、選択された曲番号に対応するカラオケデータ（音声データ，画像データ）に基づいてカラオケ信号（音声信号，画像信号）を生成するカラオケ制御装置に関する。生成されたカラオケ信号は、カラオケ装置（音声出力装置，画像出力装置）へ出力される。なお、カラオケ装置とは、例えば、カラオケ音声信号に対応する楽曲等をスピーカーから音声出力するとともに、カラオケ画像信号に対応する歌詞画像や背景画像（動画像／静止画像）をディスプレイに表示出力する装置である。
【０００２】
【従来の技術】
カラオケシステムに楽曲を演奏させたい場合、ユーザは、早見本を参照して所望の曲の曲番号を探し出し、リモコンや操作パネル等からカラオケ制御装置に入力する。これにより、該曲番号がカラオケ制御装置に予約され、先に予約されていた楽曲が全て終了すると、該曲番号に対応付けられているカラオケデータ（音声データ，画像データ）が記憶装置から読み出され、該カラオケデータに基づいてカラオケ信号（音声信号，画像信号）が生成されて、カラオケ装置（音声出力装置，画像表示装置）へ出力される。これにより、カラオケ装置では該曲番号の楽曲等が演奏等される。楽曲等の演奏等とは、本明細書では、楽曲やマイク入力音声等の音声出力と、歌詞画像や背景画像等の画像出力をいうものとする。
【０００３】
【発明が解決しようとする課題】
今日では、通信手段を用いて新曲が次々に配信される。このため、早見本に最新の楽曲が記載されていない場合もある。そのような場合、ユーザは所望の楽曲の曲番号を知ることができず、そのままでは、カラオケシステムに演奏させることもできない。このため、階層的なメニューをディスプレイに表示して、ユーザの操作入力に応じて所望の楽曲に辿り着くようにした装置も提案されている（特開平１０−１８７１６９号公報）。しかしながら、この装置では、所望の楽曲に辿り着くまでの操作入力の手間が煩雑であるという問題がある。
本発明は、ユーザの所望の楽曲の曲番号を、簡単な操作入力によって容易に探しだせるようにすることを目的とする。
【０００４】
【課題を解決するための手段】
本発明は、ユーザの所望の曲がユーザの好みのアーチストの曲である場合が多いという事情に着目し、ユーザの好みのアーチストとの関連でユーザの所望の曲を検索できるようにしたカラオケ制御装置である。
【０００５】
請求項１の発明は、選択された曲番号に対応するカラオケデータからカラオケ信号を生成してカラオケ装置へ出力するためのカラオケ制御装置であって、数値入力用のキーと検索ボタンとセットボタンを備えた入力装置と、アーチスト番号に曲番号を対応付ける第１のテーブルと曲番号にアーチスト番号を対応付ける第２のテーブルとを保持している記憶装置と、前記入力装置からの数値入力に基づいて、アーチストを一意に指示するアーチスト番号と解される番号又は曲を一意に指示する曲番号と解される番号の何れか一方を所定の表示装置に表示する番号表示制御手段と、前記検索ボタンの押下が検出されると、前記表示装置にアーチスト番号が表示されているか又は曲番号が表示されているかを識別する種別判別手段と、前記種別判別手段によりアーチスト番号が表示されていると識別された場合は当該アーチスト番号を検索キーとして用いて当該アーチスト番号に関連付けられている曲番号を前記第１のテーブルから検索する第１の検索処理を実行し、前記種別判別手段により曲番号が表示されていると識別された場合は当該曲番号を検索キーとして用いて当該曲番号に関連付けられている曲番号を前記第２のテーブルから第１のテーブルを経て検索する第２の検索処理を実行する曲番号検索手段と、前記曲番号検索手段により検索された１又は２以上の曲番号の中の何れか一つを現在の選択候補として所定の表示装置に表示するとともに残りの曲番号を選択可能な曲番号として保持する候補表示制御手段と、前記セットボタンの押下が検出されると、前記候補表示制御手段により現在の選択候補とされている曲番号を選択する曲番号選択手段と、を有することを特徴とするカラオケ制御装置である。
【０００６】
請求項２の発明は、請求項１に於いて、前記入力装置はスクロールキーを更に備えており、前記候補表示制御手段は、前記曲番号検索手段により検索された１又は２以上の曲番号の中の現在の選択候補の曲番号のみを前記表示装置に表示するとともに前記スクロールキーの操作に応じて現在の選択候補を順にシフトさせる、ことを特徴とするカラオケ制御装置である。
【０００７】
【０００８】
【発明の実施の形態】
図１は本発明の一実施の形態のカラオケシステムの構成を示すブロック図、図２と図３は図１の制御部２５にて実行される曲番号予約手順を示すフローチャート、図４（ａ）はリモコン装置の外観を例示する説明図、図４（ｂ）は図１内の補助記憶装置（ハードディスク等）２７に記憶されているアーチスト番号−曲番号テーブルと曲番号−アーチスト番号テーブルとを例示する説明図である。
【０００９】
図示のように、本カラオケシステムは、カラオケデータを蓄積するとともに選択された曲番号のカラオケデータからカラオケ信号（音声信号，画像信号）を指定されたタイミングで生成してカラオケ装置１０へ出力するカラオケ制御装置２０と、カラオケ制御装置２０から入力されるカラオケ信号に対応する楽曲等を演奏等するカラオケ装置１０から成る。
【００１０】
カラオケ装置１０は、カラオケ音声信号に対応する楽曲やマイク入力音声等の音声をスピーカー１６から出力するとともに、カラオケ画像信号に対応する歌詞画像や背景画像等の画像をディスプレイ１１に表示する装置である。
【００１１】
カラオケ制御装置２０は、公知のデータ送受信手段を介して配信されるカラオケデータを補助記憶装置２７に記憶する装置である。また、ユーザの操作入力により選択された曲番号に対応するカラオケデータを補助記憶装置２７から読み出し、該読み出したカラオケデータからカラオケ信号を生成して、ユーザの操作入力等で決まる所定のタイミング（例：先行予約の楽曲演奏が全て終了したタイミング等）で、カラオケ装置１０へ出力するコンピュータ装置である。
【００１２】
このカラオケ制御装置２０は、公知のデータ送受信手段とのデータの送受信を行う通信端末機２１と、カラオケのリモコン装置（図４（ａ）参照）からの赤外線信号を受光する赤外線受光部２３と、種々の演算処理を行う制御部２５と、曲番号に対応付けてカラオケデータ（音声データ，画像データ）を保持しているカラオケデータのデータベース・アーチスト番号−曲番号テーブル・曲番号−アーチスト番号テーブル等が記憶されている補助記憶装置２７と、カラオケデータに基づいて生成されたカラオケ信号をカラオケ装置１０へ出力する信号出力装置２９とを有する。
【００１３】
制御部２５は、通信端末機２１が受信したデータを解析する受信データ解析機能、通信端末機２１から送出するデータを設定する送信データ設定機能、赤外線受光部２３が受信した赤外線リモコン信号を解析するリモコン信号解析機能、受信データ解析機能の解析結果が新規のカラオケデータである場合に該新規のカラオケデータを補助記憶装置に記録するファイル記録機能、リモコン信号解析機能の解析結果が曲番号の選択である場合に先行予約の末尾に当該曲番号を予約登録する機能、リモコン信号解析機能の解析結果が曲番号の検索要求である場合に当該検索を行うとともに検索結果の中から選択された曲番号を先行予約の末尾に予約登録する機能、予約登録されている曲番号のカラオケデータを適宜のタイミングで補助記憶装置２７から読み出すファイル再生機能、読み出したカラオケデータを信号出力装置２９への出力データとして設定する機能を有する。この出力データに基づいて信号出力装置２９はカラオケ信号を生成して、カラオケ装置１０へ出力する。なお、制御部２５は上記以外の機能をも有するが、本発明と直接関連の無い機能についての説明は省略する。
【００１４】
図２と図３を参照して、曲番号を予約登録する手順を説明する。
リモコン装置（図４（ａ）参照）又はカラオケ装置１０の操作入力パネル（不図示）から数値が入力されると（Ｓ０１でＹＥＳ）、従前から保持されていた数値の各桁が繰り上げシフトされて、末尾の桁（１位の桁）に入力数値が追加される。また、該追加後の数値によって従前の保持数値が更新され、該更新後の数値がリモコン装置又はカラオケ装置１０の表示パネルに表示される（Ｓ０５）。但し、従前の保持数値の桁が５桁以下であることを条件とする（Ｓ０３でＹＥＳ）。従前の保持数値の桁が６桁の場合は（Ｓ０３でＮＯ）、桁数の繰り上げシフトにより本カラオケシステムにとって無意味な桁数の数値となってしまうため、入力エラーに対する処理が行われる（Ｓ０９）。ここで、「入力エラーに対する処理」としては、例えば、入力を無視する処理や、数値が所定の桁を越えてしまう旨を表示してユーザに警告する処理等を挙げることができる。
【００１５】
また、リモコン装置又はカラオケ装置１０の操作入力パネルでの検索ボタンの押下が検出されると（Ｓ１１でＹＥＳ）、まず、表示パネルに現在表示されている数値の桁数がチェックされる（Ｓ１３）。その結果、桁数が４桁の場合は（Ｓ１１で４桁）、表示中の数値がアーチスト番号であると識別される。これにより、ステップＳ０５で更新された保持数値（表示パネルに表示されている数値）をキーとして、アースチト番号−曲番号テーブル（図４（ｂ）上段のテーブル参照）から曲番号が検索され（Ｓ１５）、検索結果の中の１つが表示パネルに操作選択可能に表示される（Ｓ１９）。各アーチスト番号には一般に複数の曲番号が対応付けられているため、ここでは、その中から所定の規則に従って選ばれた１つの曲番号（又はその曲名）が表示され、残りの曲番号は検索結果の次候補群として保持される。また、上記の表示は、スクロールキー等の操作入力に応答して順に次候補の曲番号（又は曲名）にスクロールされる（Ｓ３３参照）。なお、同時に表示可能な曲番号が複数となるように構成してもよい。
【００１６】
一方、ステップＳ１３の桁数チェックで桁数が５桁又は６桁の場合は（Ｓ１３で５ｏｒ６桁）、表示中の数値が曲番号であると識別される。これにより、ステップＳ０５で更新された保持数値（表示パネルに表示されている数値）をキーとして、曲番号−アーチスト番号テーブル（図４（ｂ）下段のテーブル参照）からアーチスト番号が検索され、次に、該検索したアーチスト番号をキーとして、アースチト番号−曲番号テーブル（図４（ｂ）上段のテーブル参照）から曲番号が検索される（Ｓ１７）。また、検索結果の中の１つが表示パネルに操作選択可能に表示される（Ｓ１９）。検索結果の中から所定の規則に従って選ばれた１つの曲番号（又は曲名）が表示されること、残りの曲番号が次候補群として保持されてスクロール表示され得ること、複数の曲番号を表示するように構成してよいこと等は、上述のステップＳ１５から進む場合と同様である。
【００１７】
なお、ステップＳ１３の桁数チェックで、桁数が４〜６桁の何れでもないと判定された場合は、図示の例では検索ボタンの押下が無視される。但し、この無視処理に代えて、例えば、現状では検索できない旨を表示してユーザに警告する等のエラー処理を行ってもよい。
【００１８】
ステップＳ２１〜Ｓ２９は、セットボタンの押下に応答して実行される処理を示す。セットボタンの押下が検出されると（Ｓ２１でＹＥＳ）、まず、表示パネルに現在表示されている数値の桁数がチェックされる（Ｓ２３）。その結果、桁数が５桁又は６の場合は（Ｓ１１で５ｏｒ６桁）、従前に予約曲として保持されている曲番号の末尾に、表示パネルに現在表示されている数値の曲番号が追加して登録される（Ｓ２５）。つまり、セットボタンにより選択された現在表示中の曲番号が新規に予約登録される。なお、表示パネルに表示中の数値の桁数が５桁でも６桁でもない場合は（Ｓ２３で５桁・６桁以外）、入力エラーに対する処理が行われる（Ｓ２９）。この処理としては、例えば、数値が曲番号の桁に該当しない旨を表示してユーザに警告する処理を挙げることができる。
【００１９】
ステップＳ３１〜Ｓ３３は、上記以外のキー入力に対する処理を一括して示すステップである。例えば、スクロールキー入力に応答して、検索結果の次候補を表示するような処理を挙げることができる。また、入力した数値をクリア（全クリア／最終入力の末尾桁（一位）のクリアと各上位桁の繰下げシフト）のような処理を行ってもよい。
このようにして、所望の曲番号の検索と予約が行われる。
【００２０】
このように、本カラオケシステムでは、保持数値（表示パネルに現在表示されている数値）の桁数に基づいて、検索が指令された数値がアーチスト番号であるか曲番号であるかを識別し、その結果に基づいて検索手順を代えている。
【００２１】
また、前記ステップＳ０５の数値表示、ステップＳ１５やステップＳ１７の検索結果表示に於いて、表示エリアとして、歌詞や背景画像の邪魔にならないエリア、例えば、ガイドメニューのエリア（画面内上縁部近辺等のエリアであって現在の演奏モード等を表示するエリア）を用いると、現在演奏中の楽曲の演奏を妨げることなく、選択と予約を行うことができる効果がある。
【００２２】
【発明の効果】
請求項１の発明は、選択された曲番号に対応するカラオケデータからカラオケ信号を生成してカラオケ装置へ出力するためのカラオケ制御装置であって、数値入力用のキーと検索ボタンとセットボタンを備えた入力装置と、アーチスト番号に曲番号を対応付ける第１のテーブルと曲番号にアーチスト番号を対応付ける第２のテーブルとを保持している記憶装置と、前記入力装置からの数値入力に基づいて、アーチストを一意に指示するアーチスト番号と解される番号又は曲を一意に指示する曲番号と解される番号の何れか一方を所定の表示装置に表示する番号表示制御手段と、前記検索ボタンの押下が検出されると、前記表示装置にアーチスト番号が表示されているか又は曲番号が表示されているかを識別する種別判別手段と、前記種別判別手段によりアーチスト番号が表示されていると識別された場合は当該アーチスト番号を検索キーとして用いて当該アーチスト番号に関連付けられている曲番号を前記第１のテーブルから検索する第１の検索処理を実行し、前記種別判別手段により曲番号が表示されていると識別された場合は当該曲番号を検索キーとして用いて当該曲番号に関連付けられている曲番号を前記第２のテーブルから第１のテーブルを経て検索する第２の検索処理を実行する曲番号検索手段と、前記曲番号検索手段により検索された１又は２以上の曲番号の中の何れか一つを現在の選択候補として所定の表示装置に表示するとともに残りの曲番号を選択可能な曲番号として保持する候補表示制御手段と、前記セットボタンの押下が検出されると、前記候補表示制御手段により現在の選択候補とされている曲番号を選択する曲番号選択手段と、を有することを特徴とするカラオケ制御装置であるため、ユーザの所望の楽曲の曲番号を簡易な操作入力によって容易に探し出すことができる。
【００２３】
請求項２の発明は、請求項１に於いて、前記入力装置はスクロールキーを更に備えており、前記候補表示制御手段は、前記曲番号検索手段により検索された１又は２以上の曲番号の中の現在の選択候補の曲番号のみを前記表示装置に表示するとともに前記スクロールキーの操作に応じて現在の選択候補を順にシフトさせる、ことを特徴とするカラオケ制御装置であるため、ユーザの所望の楽曲の曲番号を簡易な操作入力によって容易に探し出すことができる。
【図面の簡単な説明】
【図１】  実施の形態のカラオケシステムの構成を示すブロック図。
【図２】  曲番号予約手順を説明するフローチャートの一部。
【図３】  曲番号予約手順を説明するフローチャートの残部。
【図４】  リモコン装置の外観を示す説明図（ａ）と、図１内の補助記憶装置２７に記憶されているアーチスト番号−曲番号テーブルと曲番号−アーチスト番号テーブルの構成例を示す説明図（ｂ）。
【符号の説明】
１０  カラオケ装置
２０  カラオケ制御装置
【図１】
0003830396.tif 000002
【図２】
0003830396.tif 000003
【図３】
0003830396.tif 000004
【図４】
0003830396.tif 000005